(57)【要約】【課題】本発明の実施形態は、電子機器の待機電力の消費を抑制することを可能とする電源供給制御装置を提供することを目的とする。【解決手段】本発明の実施形態における電力供給制御装置は、電流値を含む電流値信号を受信する電流値信号受信部と、開閉装置に対して制御信号を出力する制御信号出力部と、前記電流値信号受信部により受信した前記電流値が、事前に設定された閾値以下で事前に設定された期間以上継続する場合に、前記開閉装置に対して開極を指示する制御信号を前記制御信号出力部から出力させる演算処理部と、任意の場所への人物の入退室を管理する入退室管理装置から入室信号を受信する入室信号受信部と、を備える。また、前記演算処理部は、前記入室信号受信部が入室信号を受信した場合に、前記開閉装置に対して、閉極を指示する制御信号を前記制御信号出力部から出力させる。【選択図】図２
2014007878.tif 000002
【特許請求の範囲】
【請求項１】
電子機器に対して電力を供給する配電線に通電される電流値を含む電流値信号を受信する電流値信号受信部と、
前記電子機器への電力供給の有無を、接点を開閉することで制御する開閉装置に対して制御信号を出力する制御信号出力部と、
前記電流値信号受信部により受信した前記電流値が、事前に設定された閾値以下で事前に設定された期間以上継続する場合に、前記開閉装置に対して開極を指示する制御信号を前記制御信号出力部から出力させる演算処理部と、
任意の場所への人物の入退室を管理する入退室管理装置から入室信号を受信する入室信号受信部と、を備え、
前記演算処理部は、前記入室信号受信部が入室信号を受信した場合に、前記開閉装置に対して、閉極を指示する制御信号を前記制御信号出力部から出力させる電力供給制御装置。
【請求項２】
電子機器に対して電力を供給する配電線に通電される電流値を含む電流値信号を受信する電流値信号受信部と、
前記電子機器への電力供給の有無を、接点を開閉することで制御する開閉装置に対して制御信号を出力する制御信号出力部と、
前記電流値信号受信部により受信した前記電流値が、事前に設定された閾値以下で事前に設定された期間以上継続する場合に、前記開閉装置に対して開極を指示する制御信号を前記制御信号出力部から出力させる演算処理部と、
任意の場所への人物の入退室を管理する入退室管理装置から、入室した人物の固有情報を含む入室信号を受信する入室信号受信部と、
前記固有情報に対応する前記開閉装置情報を記憶する記憶部と、を備え、
前記演算処理部は、前記入室信号受信部が前記入室信号を受信した場合に、前記入室信号に対応する前記開閉装置に対して、閉極を指示する制御信号を前記制御信号出力部から出力させる電力供給制御装置。
【発明の詳細な説明】
【技術分野】
【０００１】
本発明の実施形態は、電力供給制御装置に関する。
【背景技術】
【０００２】
従来、ビルや工場等に設置された電子機器および負荷設備に供給される電力は、分電盤を介して供給される。また、大規模なビルや工場において、分電盤はフロア毎や建屋毎に設置することによって電源分岐している。
【０００３】
この分電盤を介して電力が供給される電子機器は、夜間などの機器未使用時にも待機電力を消費し続けていた。そこで、待機電力の消費を抑制するため、電子機器の各利用者が、電子機器に電力を供給する電源コンセントを抜く等の対策を実施する必要があった。しかし、電源コンセントを抜き差しすることは煩わしく、全電子機器に徹底することは難しいという課題が有った。
【０００４】
そこで、電子機器へ供給する電力が待機電力相当の値で所定の時間以上継続した場合に、この電子機器への電力の供給を遮断することで、待機電力の消費量を抑制する方法を適応することが考えられている。また、電源遮断後に電源の供給を開始するタイミングは、事前に設定された時間経過後や、事前に設定された時刻等であった。
【先行技術文献】
【特許文献】
【０００５】
【特許文献１】特開２０１２−２９５０９号公報
【発明の概要】
【発明が解決しようとする課題】
【０００６】
本発明の実施形態は、電子機器の待機電力の消費を抑制することを可能とする電源供給制御装置を提供することを目的とする。
【課題を解決するための手段】
【０００７】
本発明の実施形態における電力供給制御装置は、電流値を含む電流値信号を受信する電流値信号受信部と、開閉装置に対して制御信号を出力する制御信号出力部と、前記電流値信号受信部により受信した前記電流値が、事前に設定された閾値以下で事前に設定された期間以上継続する場合に、前記開閉装置に対して開極を指示する制御信号を前記制御信号出力部から出力させる演算処理部と、任意の場所への人物の入退室を管理する入退室管理装置から入室信号を受信する入室信号受信部と、を備える。また、前記演算処理部は、前記入室信号受信部が入室信号を受信した場合に、前記開閉装置に対して、閉極を指示する制御信号を前記制御信号出力部から出力させる。
【図面の簡単な説明】
【０００８】
【図１】第１の実施形態の電力供給制御装置２と周辺装置の構成を示すブロック図。
【図２】第１の実施形態の電力供給制御装置２の構成を示すブロック図。
【図３】第１の実施形態の電力供給制御装置２の動作を示すフローチャート。
【図４】第１の実施形態お電力供給制御装置２が動作することによる、電流値とコンタクタの開閉状態遷移における一例を示すグラフ。
【図５】第２の実施形態の電力供給制御装置２と周辺装置の構成を示すブロック図。
【図６】第２の実施形態の電力供給制御装置２の構成を示すブロック図。
【図７】第２の実施形態の電力供給制御装置２の記憶部２６−２に含まれる利用者固有ＩＤと、当該利用者固有ＩＤに対応するコンタクタ情報の一例を示す図。
【図８】第２の実施形態の電力供給制御装置２の動作を示すフローチャート。
【発明を実施するための形態】
【０００９】
本発明の実施形態における電力供給制御装置について、図面を参照して説明する。
【００１０】
（第１の実施形態）
第１の実施形態の電力供給制御装置について図１を用いて説明する。図１は電力供給制御装置とその周辺装置を示す構成である。
【００１１】
電力供給制御装置２は、配電線１から電力が供給され、電流計３１、コンタクタ４１、および利用者入退室管理システム６と通信する。
【００１２】
電流計３１１は、配電線１からコンタクタ４１を介して電子機器５１、５２に供給される電流値を検出し、電力供給制御装置２に電流値信号を出力する。
【００１３】
コンタクタ４１は、接点を開閉することによって配電線１から電子機器５１、５２への電力の供給および遮断を行う。コンタクタ４２も同様に、電子機器５３、５４への電力供給および遮断を行う。このコンタクタ４２は、電力供給制御装置２に対して接点の開閉状態を示す開閉信号を出力し、電力供給制御装置２から開閉を制御する開閉制御信号を受信し開閉される。
【００１４】
電子機器５１〜５４は、ＰＣ、プリンタ、ＦＡＸおよび電話等の事務用機器に加え、工場等で利用される産業用機器など、電力が供給されて動作する機器である。
【００１５】
利用者入退室管理システム６は、任意の場所の出入口に設置されており、入退室者が個人カードを認証したり、暗証番号を入力したりすることで、任意の場所への利用者の入退室を管理するシステムである。この利用者入退室管理システム６は、利用者の任意の場所への入室が確認された場合に、電力供給制御装置２に対して入室信号を出力する。ここでの任意の場所とは、電子機器５１〜５２が設置された場所であってもよい。
【００１６】
次に、本実施形態の電力供給制御装置２の構成について図２を用いて説明する。図２は、電力供給制御装置２の構成を示すブロック図である。
【００１７】
電力供給制御装置２は、演算処理部２１、操作部２２、制御信号出力部２３、電流値信号受信部２４、入室信号受信部２５、および記憶部２６を備える。
【００１８】
演算処理部２１は、ＣＰＵ、マイコン等のプロセッサにて構成されており、記憶部２６に記憶されたプログラムを実行させる。
【００１９】
操作部２２は、タッチパネル、スイッチ及びキーボード等の入力手段であり、利用者が操作を入力する。
【００２０】
制御信号出力部２３は、コンタクタ４１に対して制御信号を、通信線を介して出力する。
【００２１】
電流値信号受信部２４は、電流計３１から電流値信号を、通信線を介して受信する。
【００２２】
入室信号受信部２５は、利用者入退室管理システム６から入室信号を、通信線を介して受信する。
【００２３】
記憶部２６は、ＨＤＤ、ＲＯＭ、ＳＳＤおよびＲＡＭ等の記憶媒体であり、演算処理部２１を動作させるプログラムや種々の数値情報を記憶している。
【００２４】
次に、電力供給制御装置２の作用について図３を用いて説明する。図３は、電力供給制御装置２の動作を示すフローチャートである。
【００２５】
電力供給制御装置２は、次のステップを実行する。
【００２６】
・電流値信号受信部２４が、電流計３１から電流値信号を受信するステップ（Ｓ３１）。
【００２７】
・演算処理部２１が、電流計３１から受信した電流値信号に基づいて、電流値が事前に設定された閾値Ｉ１以下の値が、事前に設定された期間Ｔ１継続するか否かを判断するステップ（Ｓ３２）。
【００２８】
・演算処理部２１によって電流値が事前に設定された閾値Ｉ１以下の値が、事前に設定された期間継続すると判断した場合（Ｓ３２のＹＥＳ）、制御信号出力部２３が、コンタクタ４１に対して開極を指示する制御信号を出力するステップ（Ｓ３３）。
【００２９】
・利用者入退室管理システム６から利用者の入室信号を入室信号受信部２５が受信したか否かを演算処理部２１によって判断するステップ（Ｓ３４）
・利用者入退室管理システム６から利用者の入室信号を入室信号受信部２５が受信したと演算処理部２１によって判断された場合（Ｓ３４のＹＥＳ）、制御信号出力部２３が、コンタクタ４１に対して閉極を指示する制御信号を出力するステップ（Ｓ３５）。
【００３０】
また、利用者入退室管理システム６から利用者の入室信号を受信していないと演算処理部２１によって判断された場合（Ｓ３４のＮＯ）、事前に設定されたサイクル期間Ｔ２を待機するステップ（Ｓ３６）後に再度ステップＳ３４を実行する。さらに、演算処理部２１によって電流値が事前に設定された閾値Ｉ１以下の値が、事前に設定された期間Ｔ１継続していないと判断した場合（Ｓ３２のＮＯ）および、制御信号出力部２３がコンタクタ４１に対して閉極を指示する制御信号を出力するステップ（Ｓ３５）を実行した場合にはフローを終了する。
【００３１】
上述した動作を実行する場合の電流計３１で計測される電流値とコンタクタ４１の開閉状態遷移の一例を図４に示す。
【００３２】
電流計３１で計測される電流値が事前に設定された閾値Ｉ１以下となる時間が、事前に設定された期間Ｔ１継続すると、コンタクタ４１は開極し、電流計３１で計測される電流値は零値となる。また、その後利用者入退室管理システム６から利用者の入室信号を受信した場合、コンタクタ４１が閉極し、開極以前の待機電力相当の電流値が電流計３１によって計測される。
【００３３】
本実施形態によれば、電子機器５１〜５２に通電される電流値が事前に設定された閾値Ｉ１以下となる時間が、事前に設定された期間Ｔ１継続する場合に、電気機器５１〜５２への電力の供給を遮断する（コンタクタ４１を開極する）ことによって、待機電力を抑制することが可能となる。また、利用者の任意の場所へ入退室を管理する利用者入退室管理システム６から、利用者の入室を示す入室信号を受信し、入室信号を受信した場合に電気機器５１〜５２への電力の供給を開始する（コンタクタ４１を閉極する）ことによって、利用者の入室時つまり電子機器５１〜〜５２の利用時に無駄なく電力供給を制御することが可能である。
【００３４】
（第２の実施形態）
次に、第２の実施形態の電力供給制御装置について図面を参照して説明する。第１の実施形態と同一の構成には同一の符号を付し、説明は省略する。
【００３５】
まず、第２の実施形態の電力供給制御装置２と周辺装置の構成について図５を用いて説明する。図５は、電力供給制御装置２とその周辺装置の構成を示すブロック図である。本実施形態が第１の実施形態と異なる点は、第１の実施形態が単数の電流計３から電流値信号を受信していたのに対し、本実施形態では、複数の電流計３１、３２から電流値信号を受信している点である。また、それに伴い、複数のコンタクタ４１、４２に対して制御信号を出力する点も異なる。
【００３６】
次に、電力供給制御装置２の構成について図６を用いて説明する。図６は、電力供給装置２の構成を示すブロック図である。第１の実施形態と異なる点は、上述したように、電力供給制御装置２が複数の電流計３１、３２から電流値信号を受信し、かつ複数のコンタクタ４１、４２に対して制御信号を出力する点である。また、記憶部２６−２に、利用者情報が含まれている点も異なる。
【００３７】
ここで記憶部２６−２に新たに保存される利用者情報について、図７を用いて説明する。利用者情報には、利用者個別に割り振られた「利用者固有ＩＤ」と、各利用者が利用する電子機器の電力供給および遮断する「コンタクタ情報」が含まれる。
【００３８】
次に、本実施形態の電力供給制御装置２の動作について説明する。
【００３９】
本実施形態の電力供給制御装置２の動作について図８を用いて説明する。本実施形態の動作が図３に示す第１の実施形態の動作と異なる点は、複数の電流計３１、３２から複数の電流値信号を受信し、その夫々に基づいてコンタクタ４１、４２に開極を指示する制御信号を出力する点が異なる。また、利用者入退室管理システム６から受信する入室信号に、任意の場所に入室した利用者の利用者固有ＩＤが含まれており、その利用者固有ＩＤと記憶部２６−２に記憶された利用者情報に基づいて、閉極するコンタクタを選択する点が異なる。
【００４０】
電力供給制御装置２は、次のステップを実行する。
【００４１】
・電流値信号受信部２４が、電流計３１、３２から電流値信号を受信するステップ（Ｓ８１）。
【００４２】
・演算処理部２１が、電流計３１、３２から受信した電流値信号に基づいて、電流値が夫々事前に設定された閾値Ｉ１１、Ｉ１２以下の値が、事前に設定された期間Ｔ１１、Ｔ１２継続するか否かを判断するステップ（Ｓ８２）。
【００４３】
・演算処理部２１によって電流値が夫々事前に設定された閾値Ｉ１１、Ｉ１２以下の値が、事前に設定された期間継続すると判断した場合（Ｓ８２のＹＥＳ）、制御信号出力部２３が、コンタクタ４１、４２に対して開極を指示する制御信号を出力するステップ（Ｓ８３）。
【００４４】
・利用者入退室管理システム６から利用者の入室信号を入室信号受信部２５が受信したか否かを演算処理部２１が判断するステップ（Ｓ８４）。
【００４５】
・利用者入退室管理システム６から利用者の入室信号を入室信号受信部２５が受信したと演算処理部２１によって判断された場合（Ｓ８４のＹＥＳ）、演算処理部２１が、記憶部２６−２を参照し、受信した入室信号に含まれる利用者固有ＩＤに対応するコンタクタに対して制御信号出力部２３から閉極を指示する制御信号を出力するステップ（Ｓ８５）。
【００４６】
また、利用者入退室管理システム６から利用者の入室信号を受信していないと演算処理部２１によって判断された場合（Ｓ８４のＮＯ）、事前に設定されたサイクル期間Ｔ２を待機するステップ（Ｓ８６）後に再度ステップＳ８４を実行する。さらに、演算処理部２１によって電流値が事前に設定された閾値Ｉ１１、Ｉ１２以下の値が、事前に設定された期間Ｔ１１、Ｔ１２継続していないと判断した場合（Ｓ８２のＮＯ）および、制御信号出力部２３がコンタクタ４１、４２に対して閉極を指示する制御信号を出力するステップ（Ｓ８５）を実行した場合にはフローを終了する。
【００４７】
本実施形態によれば、第１の実施形態の効果に加え、記憶部２６−２に利用者固有ＩＤと、当該利用者固有ＩＤに対応したコンタクタの情報を備え、利用者入退室管理システム６から利用者固有ＩＤの情報を含む入室信号を受信することによって、入室する利用者に応じたコンタクタの制御が可能となり、さらに無駄なく電子機器に対して電力供給を制御することが可能となる。
【００４８】
なお、上述した第１および第２の実施形態の電力供給制御装置２は、電流計３１または電流計３２からは、電流値情報をディジタルデータとして受信していたが、電流計に代えて変流器を備え、アナログデータとして電流値情報を受信しても良い。ここで、アナログデータとして受信する場合には、電力供給制御装置２は高調波を除去するローパスフィルタや、アナログデータをディジタルデータに変換するＡＤ変換器を備えることがある。
【００４９】
本発明に係る実施形態によれば、電子機器の待機電力の消費を抑制することを可能とする電源供給制御装置を提供することが可能となる。
【００５０】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【００５１】
１…配電線
２…電力供給制御装置
２１…演算処理部
２２…操作部
２３…制御信号出力部
２４…電流値信号受信部
２５…入室信号受信部
２６、２６−２…記憶部
３１、３２…電流計
４１、４２…コンタクタ
５１、５２、５３、５４…電子機器
６…利用者入退室管理システム
【図１】
2014007878.tif 000003
【図２】
2014007878.tif 000004
【図３】
2014007878.tif 000005
【図４】
2014007878.tif 000006
【図５】
2014007878.tif 000007
【図６】
2014007878.tif 000008
【図７】
2014007878.tif 000009
【図８】
2014007878.tif 000010